(57)【要約】【課題】確実な装着保持状態が得られ、かつ、小型化も可能な光学機器に着脱可能なアイカップを提供する。【解決手段】光学機器側の接眼カバー１１に着脱可能なアイカップ３は、アイカップ本体２１にカバーガラス２３と弾性変形可能なシール性を有する防水シート部材２４を挿入して、接眼カバー１１の後端部１１ａに装着するが、接眼カバー１１には、外周に突出する係合爪１１ｆを設け、アイカップ本体２１には、内周部に凹状係合部２１ｇを設ける。接眼カバー１１の係合爪１１ｆにアイカップ本体２１の係合部２１ｇを回転させながら係合させると、アイカップ装着状態となる。この装着状態でアイカップ３は、係合爪１１ｆと凹状係合部２１ｇによりクリック力を有した状態で装着される。アイカップ３を取り外す場合に上記クリック力に抗して回転操作すれば取り外すことができる。【選択図】    図３
2005017401.tif 000002
【特許請求の範囲】
【請求項１】
光学機器の観察部に相対的に移動させることにより脱着可能なアイカップであって、
上記光学機器に取り付けられた状態で上記光学機器に対して密着状態となる弾性を有する防水部材と、
上記光学機器に対し相対移動させることにより上記光学機器に配された光学機器側係合部と係合可能なアイカップ側係合部と、
上記アイカップを上記光学機器に着脱する過程において、上記防水部材を圧縮する方向に上記アイカップを変位させるように上記光学機器と当接する当接部と、
を具備しており、上記アイカップを上記光学機器に取り付けた状態で、上記当接部は、光学機器と当接しない位置にあることを特徴とするアイカップ。
【請求項２】
上記当接部は、上記アイカップ側係合部に配されることを特徴とする請求項１に記載のアイカップ。
【請求項３】
上記当接部は、上記防水部材方向に突出する凸部であることを特徴とする請求項２に記載のアイカップ。
【請求項４】
上記防水部材の表面は、摺動性を有することを特徴とする請求項３に記載のアイカップ。
【請求項５】
アイカップが着脱可能な光学機器であって、
アイカップが上記光学機器に取り付けられた状態でアイカップに設けられた弾性を有する防水部材を押圧する押圧部と、
上記光学機器に対して上記アイカップを相対移動させることにより上記アイカップに設けられたアイカップ側係合部と係合可能な光学機器側係合部と、
を具備しており、上記押圧部は、上記アイカップを上記光学機器に着脱する過程において、上記アイカップに形成された当接部が当該光学機器に当接することにより上記防水部材を圧縮する方向にアイカップを変位させた際に、上記防水部材を上記アイカップの取り付け状態に比較して、より圧縮するように押圧することを特徴とするアイカップが着脱可能な光学機器。
【請求項６】
アイカップを着脱する過程において、上記アイカップに形成された当接部に上記光学機器側係合部が当接することを特徴とする請求項５に記載のアイカップを着脱可能な光学機器。
【請求項７】
上記押圧部は、アイカップ側に向けて突出した突条であることを特徴とする請求項６に記載のアイカップを着脱可能な光学機器。
【請求項８】
上記押圧部は、上記光学機器の光軸の周りに環状に形成されることを特徴とする請求項７に記載のアイカップを着脱可能な光学機器。
【発明の詳細な説明】
【０００１】
【発明の属する技術分野】
本発明は、光学機器に着脱可能な防水機能を有するアイカップ、および、該アイカップが着脱可能な光学機器に関する。
【０００２】
【従来の技術】
従来、光学機器に着脱可能な防水機能を有するアイカップとして特許文献１に開示のアイカップは、アイピース枠にスムーズに装着可能であって、かつ、気密性が保持できるものである。すなわち、アイカップに金属などからなる摺動部材を設け、この摺動部材をカメラ本体側のアイピース枠に当接させることにより気密性を持たせた構造を採用したものである。そして、このアイカップの装着時の保持機構として両側面に設けた弾性変形可能な係合爪を設け、この係合爪をアイピース枠に係合させてアイカップを保持する。
【０００３】
【特許文献１】
特許文献１は、特開平１１−１０９４４２号公報である。
【０００４】
【発明が解決しようとする課題】
上述した特許文献１に提案されたアイカップにおけるアイカップ保持機構は、複雑であり、さらに、上記係合爪の変形量を確保するために係合爪周りの占有エリアが大きくなり、アイカップの大型化が避けられなかった。
【０００５】
本発明は、上述の不具合を解決するためになされたものであり、光学機器に着脱可能な防水機能を有するアイカップにおいて、確実な装着保持状態が得られ、かつ、小型化も可能なアイカップ、および、該アイカップが着脱可能な光学機器を提供することを目的とする。
【０００６】
【課題を解決するための手段】
本発明の請求項１記載のアイカップは、光学機器の観察部に相対的に移動させることにより脱着可能なアイカップであって、上記光学機器に取り付けられた状態で上記光学機器に対して密着状態となる弾性を有する防水部材と、上記光学機器に対し相対移動させることにより上記光学機器に配された光学機器側係合部と係合可能なアイカップ側係合部と、上記アイカップを上記光学機器に着脱する過程において、上記防水部材を圧縮する方向に上記アイカップを変位させるように上記光学機器と当接する当接部とを具備しており、上記アイカップを上記光学機器に取り付けた状態で、上記当接部は、光学機器と当接しない位置にある。
【０００７】
本発明の請求項２記載のアイカップは、請求項１に記載のアイカップにおいて、上記当接部は、上記アイカップ側係合部に配される。
【０００８】
本発明の請求項３記載のアイカップは、請求項２に記載のアイカップにおいて、上記当接部は、上記防水部材方向に突出する凸部である。
【０００９】
本発明の請求項４記載のアイカップは、請求項３に記載のアイカップにおいて、上記防水部材の表面は、摺動性を有する。
【００１０】
本発明の請求項５記載のアイカップが着脱可能な光学機器は、上記アイカップが上記光学機器に取り付けられた状態でアイカップに設けられた弾性を有する防水部材を押圧する押圧部と、上記光学機器に対して上記アイカップを相対移動させることにより上記アイカップに設けられたアイカップ側係合部と係合可能な光学機器側係合部とを具備しており、上記押圧部は、上記アイカップを上記光学機器に着脱する過程において、上記アイカップに形成された当接部が当該光学機器に当接することにより上記防水部材を圧縮する方向にアイカップを変位させた際に、上記防水部材を上記アイカップの取り付け状態に比較して、より圧縮するように押圧する。
【００１１】
本発明の請求項６記載のアイカップを着脱可能な光学機器は、請求項５記載のアイカップを着脱可能な光学機器において、上記アイカップを着脱する過程において、上記アイカップに形成された当接部に上記光学機器側係合部が当接する。
【００１２】
本発明の請求項７記載のアイカップを着脱可能なアイカップは、請求項６に記載のアイカップを着脱可能な光学機器において、上記押圧部は、アイカップ側に向けて突出した突条である。
【００１３】
本発明の請求項８記載のアイカップを着脱可能なアイカップは、請求項７に記載のアイカップを着脱可能な光学機器において、上記押圧部は、上記光学機器の光軸の周りに環状に形成される。
【００１４】
【発明の実施の形態】
以下、本発明の実施の形態を図に基づいて説明する。
図１は、本発明の一実施形態の光学機器であるカメラのアイカップ装着状態でのファインダ接眼ユニットの断面図である。図２は、上記アイカップの分解斜視図である。図３は、上記ファインダ接眼ユニットの接眼カバーとアイカップとの分解斜視図である。また、図４は、図３のＢ−Ｂ断面図であって、上記接眼カバーの後端部外周の断面を示す。図５（Ａ）は、図２のＡ矢視の展開図であって、上記アイカップのアイカップ本体切り欠き部まわりを示し、図５（Ｂ）は、図５（Ａ）のＥ−Ｅ断面図である。
【００１５】
以下の説明において、ファインダ光軸Ｏに沿った方向にてペンタプリズム側を前方とし、アイポイント側を後方とする。また、回転方向は、後方側から見たときの回動方向で示す。
【００１６】
図１に示すようにファインダ接眼ユニット１は、光学機器であるカメラの外装カバーの一部である接眼カバー１１内部であって、ファインダ部４のペンタプリズム４ａの射出側のファインダ内表示部５，測光部６の配設位置後方部に配置されている。接眼カバー１１のアイカップ装着部となる後端部１１ａには後述するアイカップ３が着脱可能である。
【００１７】
このファインダ接眼ユニット１は、ファインダ光軸Ｏｆを有しており、前方側の接眼１群レンズ１３を保持する接眼ユニット本体１２と、接眼ユニット本体１２に進退自在に支持され、接眼２群レンズ１５を保持する２群接眼枠１４と、接眼ユニット本体１２の後方側に固定支持され、接眼３群レンズ１７を保持する３群接眼枠１６と、２群接眼枠１４を進退駆動するための視度調節リング１８と、２群接眼枠１４を付勢する視度調節付勢バネ１９とを有している。
【００１８】
視度調節リング１８には、カム部１８ａが設けられ、該リング１８を回動操作するとカム部１８ａにより２群接眼枠１４のカムフォロワ１４ａが駆動され、２群接眼枠１４がファインダ光軸Ｏｆに沿って進退移動し、視度調節が行われる。
【００１９】
接眼カバー１１の後端部１１ａ内に接眼開口部１６ａを持つ３群接眼枠１６が位置している。また、接眼カバー１１の後端部外周１１ｂには、図３に示すように３等分位置に後端面１１ｃに沿って外方に突出する光学機器側係合部となる係合爪１１ｆが配される。
【００２０】
後端部外周１１ｂは、後述するアイカップ本体２１の前面側の開口２１ｅに嵌合可能な寸法とする。そして、３つの係合爪１１ｆは、後述するアイカップ本体２１の前面開口２１ｅ上の切り欠き部２１ｆに挿入可能とする。
【００２１】
さらに、接眼カバー１１の後端面１１ｃ上には、図４に示すように全周にわたってアイカップ側（後方側）にわずかに突出する突条１１ｄが設けられる。この突条１１ｄは、その断面形状が半円形状であり、後述する防水シート部材２４の前面を押圧する光軸Ｏｆまわりの環状の押圧部である。その環状の直径の大きさは、後述するカバーガラス２３の外径より小さい。
【００２２】
アイカップ３は、図１，２に示すようにアイカップ本体２１と、アイカップ本体２１内に組み込まれる透明な光学素子であるカバーガラス２３および防水部材である防水シート部材２４と、アイカップ本体２１の外周を覆うよう装着されるゴムカバー２２とを有している。
【００２３】
アイカップ本体２１は、後方中央開口部２１ａを有し、さらに、内周部にカバーガラス保持用開口である円形凹部２１ｂと、内周溝状の防水シート部材保持部である溝部２１ｄと、前面側に防水シート部材挿入用開口部２１ｅと、開口部２１ｅ上の３等分位置に配される切り欠き部２１ｆと、切り欠き部２１ｆに隣接して接眼カバーの係合爪１１ｆと係合可能な係合部２１ｇを有している。
【００２４】
凹部２１ｂの内周は、カバーガラス２３の外径より大きく、その凹部の段差は、カバーガラス２３の厚みより浅い。
【００２５】
開口部２１ｅの内周は、凹部２１ｂの内径と同等、または、それより大きく、かつ、防水シート部材２４の外径より小さい。
【００２６】
溝部２１ｄの底部内周は、防水シート部材２４の外径と等しいか、わずかに大きい。また、溝部２１ｄの溝幅は、凹部２１ｂにカバーガラス２３を挿入し、さらに、防水シート部材２４を挿入した状態で防水シート部材２４の厚みを圧縮しない程度の溝幅を有している。
【００２７】
図２，図５（Ａ），５（Ｂ）に示すように溝部２１ｄの溝幅面から前方側に形成される凹状の係合部２１ｇが３つの切り欠き部２１ｆの時計回り側（図２上では、反時計周り側）にそれぞれ隣接して設けられる。この係合部２１ｇは、接眼カバー１１の係合爪１１ｆが係合するアイカップ側係合部となる。係合部２１ｇの周方向で切り欠き２１ｆ側には、後方（防水シート部材側）に突出する半円形断面の当接部である凸部２１ｈが、その凸部２１ｈの反対側に当接面２１ｉとが設けられる。
【００２８】
防水シート部材２４は、高密度の発泡性樹脂であるマイクロセルポリマーシート（例えば、マイクロセルウレタンフォーム）を素材とし、中央に開口部２４ａを有する円環形状のシート部材である。このマイクロセルポリマーシートは、非常に細密な、かつ、均一なセル構造を有しており、圧縮残留ひずみが少なく、長期間にわたって安定したシール性を有し、さらに、表面の摺動性が良好である。なお、開口部２４ａの大きさは、アイカップ本体２１の中央開口部２１ａおよび３群接眼枠１６の後部外径より大きく、かつ、カバーガラス２３の外径より小さい。また、防水シート部材２４の厚みは、圧縮した場合に防水機能を満足するに十分な圧縮代がとれる厚みとする。
【００２９】
上述した構成を有する接眼カバー１１にアイカップ３を装着する装着動作について図３，６等を用いて説明する。
図６は、アイカップの装着過程における図３のＣ矢視の展開図を示し、図６（Ａ）は、アイカップを接眼カバーの係合爪部に挿入した状態を示す。図６（Ｂ）は、その後、アイカップをわずかに反時計回り（図３のＤａ方向）に回動させた状態を示す。図６（Ｃ）は、アイカップを所定量だけ反時計回りに回動させた装着状態を示す。
【００３０】
図３に示すようにゴムカバー２２が装着されたアイカップ本体２１の凹部２１ｂにカバーガラス２３を挿入する。さらに、防水シート部材２４をアイカップ本体２１の防水シート部材挿入用開口部２１ｅ側から挿入し、変形させながら溝部２１ｄに嵌め込む。この状態で、防水シート部材２４により、カバーガラス２３のアイカップ本体２１からの脱落が防止される。なお、この状態では、防水シート部材２４は、厚み、径方向で非圧縮状態である。
【００３１】
次に、図６（Ａ）に示すように接眼カバー１１の後端外周１１ｂ上の係合爪１１ｆに対してアイカップ本体２１の切り欠き２１ｆを挿入する。
【００３２】
そこで、アイカップ本体２１を反時計回り（図３のＤａ方向）に回動させると、防水シート部材２４の表面が接眼カバー１１の後端面１１ｃおよび突条１１ｄ上を摺動しながら相対的に移動する。そのとき、アイカップ本体２１の係合部２１ｇの先端曲面部２１ｊで係合爪１１ｆの斜面１１ｈを押圧するので、係合爪１１ｆは、相対的にアイカップ本体２１側に向けて移動し、かつ、アイカップ本体２１の凸部２１ｈに乗り上げる（図６（Ｂ））。この装着過程の状態では、防水シート部材２４は、接眼カバー１１の後端面１１ｃで非圧縮状態（図６（Ｂ）の状態２４Ｂ）から押圧され、弾性圧縮変形される。突条１１ｄが当接する環状部分は、さらに圧縮された状態（図６（Ｂ）の状態２４Ｃ）となっている。この圧縮量は、図６（Ｃ）に示す装着完了状態の圧縮量よりも多く圧縮された状態である。
【００３３】
続いて、さらにアイカップ本体２１を反時計回り（図３のＤａ方向）に回動させると、防水シート部材２４が接眼カバー１１の後端面上を摺動しながら相対的に移動し、係合爪１１ｆは、アイカップ本体２１の凸部２１ｈに乗り越えてアイカップ装着完了状態となる（図６（Ｃ））。この状態で係合爪１１ｆは、相対的にアイカップ本体２１の係合部２１ｇの当接面２１ｉと凸部２１ｈの間に嵌り込み、係合爪１１ｆの側面が係合部２１ｇの当接面２１ｉに当接して、係合爪１１ｆの前面１１ｇが係合部２１ｇの内面に当接する。従って、アイカップ３の反時計回り方向の回動操作は、当接面２１ｉと係合爪１１ｆが干渉して完全に回転規制される。さらに、アイカップ３の時計回り方向の回動操作は、凸部２１ｈが係合爪１１ｆによって所定のクリック保持力で回転規制される。すなわち、時計回りに回動操作すると、凸部２１ｈが係合爪１１ｆに乗り上げようとしてアイカップ本体２１が接眼カバー１１側に接近しようとする。この接近動作により防水シート部材２４が圧縮される方向に付勢され、アイカップ３の時計回り方向の回動操作に対してクリック力が生じる。
【００３４】
この装着完了状態では、防水シート部材２４の接眼カバー１１側は、図６（Ｂ）の圧縮状態よりわずかに戻され、接眼カバー１１の後端面１１ｃで圧縮され、密着状態に保持される。突条１１ｄが当接する防水シート部材２４の環状部分は、さらに圧縮された状態に保持される。一方、上記圧縮力を受けた防水シート部材２４のカバーガラス２３側は、カバーガラス２３の表面に圧接して密着する。特に防水シート部材２４の突条１１ｄが当接する後面側のカバーガラス面上の環状部分は、さらに強い圧接力で密着する。
【００３５】
従って、カバーガラス２３の内側表面（接眼レンズ側）と防水シート部材２４の間は、強く密着し、特に突条１１ｄの環状部分の対応部分には、高い接触圧が作用し、確実に防水状態に保持される。同様に、防水シート部材２４と接眼カバー１１の後端面１１ｃとの間も同様に強く密着し、特に突条１１ｄが当接する環状部分には、高い接触圧が作用し、確実に防水状態に保持される。また、防水シート部材１１自体もシール性を有していることからアイカップ３の外部に対して接眼カバー１１の内部は、防水上、確実に隔離された状態に保持される。
【００３６】
なお、接眼カバー１１に装着されたアイカップ３を取り外すには、装着状態にあるアイカップ本体２１を時計回り（図３の反Ｄａ方向）に所定のクリック力を越える力で回動操作する。その回動操作によって、接眼カバー１１の係合爪１１ｆが相対的にアイカップ本体２１の凸部２１ｈを乗り越えて移動し、切り欠き２１ｆの位置に係合爪１１ｆが位置する状態となり、アイカップ３を接眼カバー１１から外すことができる。
【００３７】
なお、本実施形態においては、接眼カバー１１の後端面１１ｃ及び突条１１ｄとが防水シート部材２４と当接するようにしてシール性を高めているが、少なくとも、接眼カバー１１側と防水シート部材２４とが全周にわたって密着するように構成すればよい。
【００３８】
以上、説明したように本実施形態のカメラにおいては、その接眼ユニット１の接眼カバー１１に着脱可能なアイカップ３に摺動性が良好で、へたりの少ないマイクロセルポリマーシートで形成された防水シート部材２４を適用し、その防水シート部材２４を接眼カバー側係合部の係合爪１１ｆとアイカップ本体側係合部２４ｇとの回動操作によって圧縮し、密着させる構造を採用している。従って、確実な密着状態が得られ、また、長期間にわたるシール性も確保される。また、防水シート部材２４の摺動性が良好であることから防水シート部材２４の圧縮を効率よく行うことができる。
【００３９】
さらに、一つの防水シート部材２４にて、接眼カバー１１とアイカップ３間からの水滴の侵入と、カバーガラス２３とアイカップ本体２１間からの水滴の侵入を防止することができる。また、防水シート部材２４及びカバーガラス２３を接着固定する必要がないことから、アイカップのコンパクト化が可能であり、組付けも容易であり、構成部品も少なくなる。
【００４０】
また、アイカップ３を接眼カバー１１に装着する場合、接眼カバー１１の係合爪にアイカップ本体２１の係合部を挿入して反時計回りに回動操作するだけで簡単に装着することができ、その装着状態では、アイカップ３は、確実に保持される。また、アイカップ３を取り外す場合は、アイカップ３を時計回りにクリック保持力を越えて回動操作することによりアイカップ本体２１の係合部を接眼カバー１１の係合爪から解放すれば、容易に取り外すことができる。しかも、アイカップ３の脱着操作時の節度感及び、アイカップ３が脱落しないように保持する保持力と、を得るために防水シート部材２４の弾性を利用しているため、係合爪を変形させる場合に比して小型化が容易である。
【００４１】
上述した実施形態においては、防水部材である防水シート部材２４の素材として高密度マイクロセルポリマーのシート材を適用したが、これに限らず、他の素材であって、シール性に優れ、摺動性も良好な弾性変形可能な発泡シート材やゴムシートを適用することも可能である。図７は、防水シート部材２４に対する変形例の防水シート部材の断面図である。この防水シート部材３１は、発泡シート材やゴムシートの両面に摺動性のよいフィルム３２を貼付したものであり、上述したアイカップ３の防水部材として適用できる。
【００４２】
また、アイカップ３に用いる光学素子としてカバーガラス２３を例にとって説明したが、その他、視度調整レンズなどを用いても良い。さらに、本実施形態においては防水して説明したが、これは防滴機能も含むものであり、所望の防水・防滴性能を得るためには、アイカップ３の装着状態での防水シート部材２４の圧縮量やその材質を変更すればよい。
【００４３】
【発明の効果】
上述のように本発明によれば、確実な装着保持状態が得られ、かつ、小型化も可能なアイカップ、および、該アイカップが着脱可能な光学機器を提供することができる。
【図面の簡単な説明】
【図１】本発明の一実施形態の光学機器であるカメラのアイカップ装着状態でのファインダ接眼ユニットの断面図である。
【図２】図１のアイカップの分解斜視図である。
【図３】図１のファインダ接眼ユニットの接眼カバーとアイカップとの分解斜視図である。
【図４】図３のＢ−Ｂ断面図であって、上記接眼カバーの係合爪部の断面を示す。
【図５】図２のアイカップのアイカップ本体切り欠き部周りの形状を示す図であって、図５（Ａ）は、図２のＡ矢視の切り欠き部まわりの展開図を示し、図５（Ｂ）は、図５（Ａ）のＥ−Ｅ断面図である。
【図６】図２のアイカップの装着過程における図３のＣ矢視の展開図であり、図６（Ａ）は、アイカップを接眼カバーの係合爪部に挿入した状態を示し、図６（Ｂ）は、挿入後、アイカップをわずかに反時計回りに回動させた状態を示し、図６（Ｃ）は、アイカップを所定量だけ反時計回りに回動させた装着状態を示す。
【図７】図２のアイカップに適用される防水部材であえる防水シート部材の変形例の断面図である。
【符号の説明】
３  …アイカップ
１１ｄ…突条部（防水部材を押圧する押圧部）
１１ｆ…係合爪（光学機器側係合部）
２１ｇ…係合部（アイカップ側係合部）
２１ｈ…凸部（当接部）
２４  …防水シート部材（防水部材）
【図１】
2005017401.tif 000003
【図２】
2005017401.tif 000004
【図３】
2005017401.tif 000005
【図４】
2005017401.tif 000006
【図５】
2005017401.tif 000007
【図６】
2005017401.tif 000008
【図７】
2005017401.tif 000009